(57)【要約】【課題】照明器具のコストを上げる特別な機能を設けることなく、使用者に対して確実に照明器具３０の寿命を告知することができる監視端末器１０を提供することを目的とする。【解決手段】壁面に取付けられるパネル部１１と；パネル部１１内に設けられ、照明器具３０を点消灯させる信号に基づいて照明器具３０の点灯時間を計測する時間管理部１３と；前記パネル部１１に設けられて、前記時間管理部１３によって計測された照明器具３０の累積点灯時間が所定の時間に達したときに照明器具３０の寿命を告知する告知部１４と；を具備したことを特徴とする。【選択図】図１
2008251441.tif 000002
【特許請求の範囲】
【請求項１】
壁面に取付けられるパネル部と；
パネル部内に設けられ、照明器具を点消灯させる信号に基づいて照明器具の点灯時間を計測する時間管理部と；
前記パネル部に設けられて、前記時間管理部によって計測された照明器具の累積点灯時間が所定の時間に達したときに照明器具の寿命を告知する告知部と；
を具備したことを特徴とする監視端末器。
【請求項２】
壁面に取付けられるパネル部と；
パネル部内に設けられ、照明器具が点灯中に自己に流れる電流を検知する検知部を有し、検知部が検知した電流によって照明器具の点灯時間を計測する時間管理部と；
前記パネル部に設けられて、前記時間管理部によって計測された照明器具の累積点灯時間が所定の時間に達したときに照明器具の寿命を告知する告知部と；
を具備したことを特徴とする監視端末器。
【請求項３】
複数の照明器具の寿命をまとめて告知する告知部において、累積点灯時間が最初に所定の時間に達したときに告知を行うことを特徴とする請求項１または２に記載の監視端末器。
【請求項４】
壁面に取付けられるパネル部と；
パネル部内に設けられ、信号送出部から送信された信号に基づいて照明器具の点滅回数を検出する点滅検知部と；
前記パネル部に設けられて、前記点滅検知部によって検出された照明器具の点滅回数が所定の回数に達したときに照明器具の寿命を告知する告知部と；
を具備したことを特徴とする監視端末器。
【請求項５】
前記信号送出部は、前記パネル部の前面側に設けられた操作部であることを特徴とする請求項１ないし４のいずれか一に記載の監視端末器。
【請求項６】
壁面に取付けられるパネル部と；
前記パネル部の前面側に設けられて、照明器具を点消灯させる操作部と；
前記操作部の操作に基づいて照明器具の累積点灯時間または点滅回数のうち少なくとも一方を計測する器具管理部と；
前記パネル部に設けられて、前記器具管理部によって計測された照明器具の累積点灯時間または点滅回数が所定の時間または所定の回数に達したときに照明器具の寿命を告知する告知部と；
を具備したことを特徴とする監視端末器。
【請求項７】
前記告知部は、照明器具の累積点灯時間が所定の時間を経過したのちに、操作部が操作されたときに照明器具の寿命を告知することを特徴とする請求項５または６に記載の監視端末器。
【請求項８】
前記信号送出部は、検知の有無に応じて照明器具を点消灯させる人感センサであることを特徴とする請求項１ないし４のいずれか一に記載の監視端末器。
【請求項９】
前記信号送出部は、検出された照度が所定の照度以下になると照明器具を点灯し、検出された照度が所定の照度以上になると照明器具を消灯する照度センサであることを特徴とする請求項１ないし４のいずれか一に記載の監視端末器。
【請求項１０】
前記信号送出部は、照明制御を時間に応じて行うスケジュール管理部であることを特徴とする請求項１ないし４のいずれか一に記載の監視端末器。
【請求項１１】
外部端末器に対し照明器具の寿命に関する情報を送信可能に構成された通信部を有することを特徴とする請求項１ないし１０のいずれか一に記載の監視端末器。
【発明の詳細な説明】
【技術分野】
【０００１】
本発明は、制御対象である照明器具の点灯状況を監視し、照明器具が寿命に達したと判断したときに告知を行う監視端末器に関する。
【背景技術】
【０００２】
照明器具は、ランプなどの発光部だけでなく、点消灯や点灯時間に伴い器具自体も劣化するため、器具ごとに大まかな製品寿命が設定されている。製品寿命を大幅に超過した状態で器具を使用すると、故障や火災などの原因になることがある。これまで、照明器具の使用時間を測定し、この使用時間が製品寿命を経過したときに、使用者に寿命を告知するさまざまな技術が提案されている（例えば、特許文献１参照）。
【０００３】
特許文献１には、電子安定器の使用時間を積算し、寿命を判別して報知する放電灯点灯装置が記載されている。
【０００４】
また、放電灯点灯装置の電源電圧または調光信号を制御する制御部を有し、この制御部に放電灯点灯装置の動作時間を積算し動作時間が定められた設定値を超えたときに放電灯点灯装置の寿命末期を検出する照明制御装置が知られている（例えば、特許文献２参照）。この従来技術によると照明器具の寿命を検知したときに器具に取付けたＬＥＤなどの表示装置を点灯させることで使用者に照明器具の寿命を知らせる構成である。
【特許文献１】特開２０００−３４０３７８号公報
【特許文献２】特開２００６−２３６６６８号公報
【発明の開示】
【発明が解決しようとする課題】
【０００５】
しかしながら、上記特許文献１の従来技術では電子安定器を有さない白熱灯器具には適用することができない。また、放電灯点灯装置に装置の寿命を計時する機能を設けた場合、器具内は熱等の影響により劣化しやすいため放電灯点灯装置の寿命の計時機能が誤動作、検知不能になるおそれがある。一方、特許文献２の従来技術では制御部から表示部まで配線する必要があり設置に手間がかかる。また、表示部を器具に取付けた場合、ランプの使用中には表示部が目立ちにくくなり、照明器具の寿命告知方法としては改善の余地があった。
【０００６】
本発明は、上記課題に鑑みなされたもので、特別な機能を設けることなく、簡単な構成により使用者に対して確実に照明器具の寿命を告知することができる監視端末器を提供することを目的とする。
【課題を解決するための手段】
【０００７】
請求項１に記載された監視端末器は、壁面に取付けられるパネル部と；パネル部内に設けられ、照明器具を点消灯させる信号に基づいて照明器具の点灯時間を計測する時間管理部と；前記パネル部に設けられて、前記時間管理部によって計測された照明器具の累積点灯時間が所定の時間に達したときに照明器具の寿命を告知する告知部と；を具備したことを特徴とする。
【０００８】
請求項２に記載された監視端末器は、壁面に取付けられるパネル部と；パネル部内に設けられ、照明器具が点灯中に自己に流れる電流を検知する検知部を有し、検知部が検知した電流によって照明器具の点灯時間を計測する時間管理部と；前記パネル部に設けられて、前記時間管理部によって計測された照明器具の累積点灯時間が所定の時間に達したときに照明器具の寿命を告知する告知部と；を具備したことを特徴とする。
【０００９】
請求項３に記載された監視端末器は、複数の照明器具の寿命をまとめて告知する告知部において、累積点灯時間が最初に所定の時間に達したときに告知を行うことを特徴とする。
【００１０】
請求項４に記載された監視端末器は、壁面に取付けられるパネル部と；パネル部内に設けられ、信号送出部から送信された信号に基づいて照明器具の点滅回数を検出する点滅検知部と；前記パネル部に設けられて、前記点滅検知部によって検出された照明器具の点滅回数が所定の回数に達したときに照明器具の寿命を告知する告知部と；を具備したことを特徴とする。
【００１１】
請求項５に記載された監視端末器は、前記信号送出部は、前記パネル部の前面側に設けられた操作部であることを特徴とする。
【００１２】
請求項６に記載された監視端末器は、壁面に取付けられるパネル部と；前記パネル部の前面側に設けられて、照明器具を点消灯させる操作部と；前記操作部の操作に基づいて照明器具の累積点灯時間または点滅回数のうち少なくとも一方を計測する器具管理部と；
【００１３】
前記パネル部に設けられて、前記器具管理部によって計測された照明器具の累積点灯時間または点滅回数が所定の時間または所定の回数に達したときに照明器具の寿命を告知する告知部と；を具備したことを特徴とする。
【００１４】
請求項７に記載された監視端末器は、前記告知部は、照明器具の累積点灯時間が所定の時間を経過したのちに、操作部が操作されたときに照明器具の寿命を告知することを特徴とする。
【００１５】
請求項８に記載された監視端末器は、前記信号送出部は、検知の有無に応じて照明器具を点消灯させる人感センサであることを特徴とする。
【００１６】
請求項９に記載された監視端末器は、前記信号送出部は、検出された照度が所定の照度以下になると照明器具を点灯し、検出された照度が所定の照度以上になると照明器具を消灯する照度センサであることを特徴とする。
【００１７】
請求項１０に記載された監視端末器は、前記信号送出部は、照明制御を時間に応じて行うスケジュール管理部であることを特徴とする。
【００１８】
請求項１１に記載された監視端末器は、外部端末器に対し時間管理部の情報を送信可能に構成された通信部を有することを特徴とする。
【発明の効果】
【００１９】
請求項１に記載された監視端末器によれば、壁面に取付けられるパネル部に告知部が設けられているので、使用者の視覚に入りやすく、告知部が寿命告知を行ったときに、使用者に確実に知らせることができる。また、点灯または消灯のオン・オフ信号が送出されたことで点灯時間を計測するので、電流計または電圧計などの検知装置を必要とせず、監視端末器のコストを下げることができる。
【００２０】
請求項２に記載された監視端末器によれば、電流を検知することによって点灯時間を計時するため、照明器具を点消灯制御する信号を受信しても、例えば電源遮断手段によって照明器具が点灯動作しない場合には点灯時間を計時しないので照明器具が点灯していることを確実に検知することができる。
【００２１】
請求項３に記載された監視端末器によれば、例えば一回の点灯信号によって複数の照明器具が点消灯制御される場合に、一つでも寿命を経過した照明器具があれば告知を行うことができる。
【００２２】
請求項４に記載された監視端末器によれば、照明器具の点滅回数によって照明器具の寿命を検知するので、点滅回数が多い場所に設置される場合など、器具の寿命が主に点滅に依存するときであっても照明器具の寿命を確実に検知することができる。
【００２３】
請求項５に記載された監視端末器によれば、パネル部の前面に取付けられた操作部の操作によって照明器具の点消灯状態を計時するので、照明器具の状態を監視する特別な機器を必要としないので監視端末器を安価にすることができる。
【００２４】
請求項６に記載された監視端末器によれば、操作部の操作に基づいて照明器具の涙腺器点灯時間または点滅回数によって寿命を検知するので、簡単な構成で照明器具の寿命を検知することができる。
【００２５】
請求項７に記載された監視端末器によれば、使用者が操作部を操作したときに、パネル前面部に配設された告知部から告知が行われるため、使用者に照明器具の寿命を確実に伝えることができる。
【００２６】
請求項８に記載された監視端末器によれば、人感センサの動作による照明器具の点灯時間を計時するので、人の存在、不存在によって頻繁に点消灯が行われる箇所の照明器具の累積点灯時間を計時することができる。
【００２７】
請求項９に記載された監視端末器によれば、照度センサの動作による照明器具の点灯時間を計時するので、人が存在していないときに照明器具が点灯していても累積点灯時間を正確に計時することができる。
【００２８】
請求項１０に記載された監視端末器によれば、スケジュール管理部からの点消灯信号に基づいて照明器具の累積点灯時間を計時するので、自動で照明器具を点灯制御したときの点灯時間も考慮して累積点灯時間を計時することができる。
【００２９】
請求項１１に記載された監視端末器によれば、通信部を設けたので外部端末器によって、現在の点灯積算時間や残りの点灯寿命などの情報を容易に得ることができる。
【発明を実施するための最良の形態】
【００３０】
以下、本発明の実施の形態について、図を用いて説明する。
【００３１】
図１は、本発明の第１の実施形態に係る監視端末器を示すブロック図である。
【００３２】
１は照明装置であり、ＡＣ電源から電力が供給される監視端末器１０、および監視端末器１０と電源線で接続され、照明負荷３１が取付けられた照明器具３０からなる。
【００３３】
監視端末器１０は、照明負荷３１を点灯させる信号送出部としての操作部１２、操作部１２の操作によって送出される点消灯信号に基づいて、照明器具３０の点灯状況を判断して点灯時間を計測する時間管理部１３、時間管理部１３で計測された時間が予め設定された所定の時間に達したときに光源や液晶等によって表示する表示手段または音や振動による音声手段で告知する告知部１４を有している。また、本実施形態では監視端末器１０に照明制御部１５が設けられており、操作部１２および時間管理部１３と接続されている。そして、照明制御部１５は操作部１２の操作に連動して例えばリレースイッチ等からなるスイッチ手段１０aを開閉させて照明器具３０への電力供給を制御する。また、時間管理部１３は照明器具３０の点消灯状態を監視しており、操作部１２から送出された信号を受信することによって照明器具３０の点灯時間を計測する。ここで、操作部１２から送出される信号は、例えばスイッチ手段aの開閉操作に伴う点消滅信号である。
【００３４】
なお、図１および以下の図面において電源線は単相２線式の電線を一本線として省略して描いているが、スイッチ手段１０aの開閉は一方の電線を開閉する機構であってもよい。
【００３５】
図２は時間管理部１３の一例を示したブロック図である。
【００３６】
時間管理部１３は例えば、クロック部１３１、カウンタ１３２、メモリ部１３３、比較部１３４を備えている。時間管理部１３は、電源回路１０bから電力が供給されるとともに照明器具３０の寿命を監視する機能を有している。
【００３７】
クロック部１３１は、基準信号を発振するクロック発振器である。カウンタ１３２は、クロック部１３１が発振するクロック信号に基づいて時間経過を計測するタイマーである。メモリ部１３３は、書き換え可能な不揮発性メモリ等からなるメモリであり、照明器具３０の寿命を示す計測値が所定時間としてあらかじめ記憶されている。すなわち、メモリ部１３３は、電源回路１０bからの電源供給が止まった場合でも記憶データを保持する機能を持っている。メモリ部１３３は、照明器具３０の寿命を示す所定の時間にマージンを見込んだ値、すなわち、製品寿命の数ヶ月程度少なく見積もった時間を所定の時間として記憶してもよい。この場合、製品寿命が到来する前の段階で使用者に対し寿命を告知することができる。
【００３８】
次に、本実施形態の作用を説明する。
【００３９】
操作部１２から送信された点消灯信号が時間管理部１３のカウンタ１３２に入力されるとこの信号がトリガーとなってカウンタ１３２を作動させ、カウンタ１３２はクロック部１３１からの基準信号に基づいて時間を計測する。そして、カウンタ１３２はクロック部１３１から送信されるクロック信号を次に操作部１２から信号が送信されるまでカウントし続ける。
【００４０】
比較部１３４は、カウンタ１３２の計測値とメモリ部１３３に記憶された計測値とを比較する比較器である。比較部１３４は、カウンタ１３２の計測値がメモリ部１３３に記憶された計測値を超えると、告知部１４にトリガー信号を送る機能を有する。
【００４１】
なお、時間管理部１３には、メモリ部１３３の記憶内容の全部または一部を消去するリセット端子ＲＳＴが備えられている。例えば、照明器具３０を交換したような場合に照明器具３０の製品寿命を計測し直す必要がある。かかる場合、リセット端子ＲＳＴをグラウンドまたは電源とオン・オフする等により、メモリ部１３３の記憶内容のうち、カウンタ１３２のカウント値のみを初期化することで、より正確に製品寿命を管理することが可能となる。
【００４２】
また、時間管理部１３は、照明制御部１５から点消滅信号を受けてカウンタ１３２を動作させる構成であってもよい。また、照明制御部１５は監視端末器１０に配設されていてもよいし、外部に配置されて監視端末器１０と電力線または信号線で接続される構成であってもよい。
【００４３】
図３は、第１の実施形態の変形例１を示すブロック図である。
【００４４】
上記実施形態では照明器具３０が寿命に達したことを検知するために点灯時間を計測しているが、変形例１では照明器具３０の寿命を点滅回数によって決定する構成である。この場合には、時間管理部１３の代わりに点滅検知部１３aを設置し、操作部１２の操作によって送出される信号に基づいて、照明器具３０の点滅回数を検知し、点滅回数が所定の回数に達したときに点滅検知部１３aから告知部１４へ信号を送信し告知をおこなう。この点滅検知部１３aは、例えば時間管理部１３の構成においてクロック部１３１を省略し、操作部１２からの信号を直接カウンタ１３２がカウントすることによって可能となる。また、複数の操作部１２に対してそれぞれメモリを設けておき、個々の操作部１２に対応した寿命検知を行うことができる。
【００４５】
図４は、第１の実施形態の変形例２を示すブロック図である。
【００４６】
変形例２は、監視端末器１０と照明器具３０を電力線で接続し、操作部１２の操作に基づいて電力線を遮断または導通させて、照明器具３０の入切を行う構成である。この場合には、監視端末器１０と照明器具３０との間に器具管理部１３bを設けておき、照明器具３０の点灯時間または点滅回数を監視することができる。
【００４７】
図５は、第１の実施形態に係る監視端末器１０の正面図である。
【００４８】
監視端末器１０は、例えば部屋の入り口付近の壁面に取付けられる。監視端末器１０のパネル部１１は、前面側に制御対象である照明負荷３１の点消灯動作を行う操作部１２と、この操作部１２によって制御される照明負荷３１が点灯状態である事を示すオン表示部１６aおよび消灯状態であることを示すオフ表示部１６bが一つの操作部１２に対して一対設けられている。また、パネル部１１の前面には照明器具３０の点灯時間が所定の時間を経過し、照明器具３０が寿命に達したことを告知するための告知部１４が設けられている。告知部１４は、点灯状態によって告知を行う例えばLEDなどの光源からなる表示部１４aを有している。例えば、通常は表示部１４aを消灯しておき、照明器具３０の累積点灯時間が所定の時間を経過したことを時間管理部１３、点滅検知部１３a、器具管理部１３bが検出したときに点灯または点滅を行うことによって使用者または管理者に照明器具３０が寿命になったことを告知することができる。
【００４９】
ここで、照明器具３０の点灯時間が所定の時間を経過したのちに操作部１２が操作されたときに表示部１４aの点灯動作を行えば使用者に確実に告知を行うことができる。これは通常、操作部１２の操作を行うときに使用者はパネル部１１を視認するため、パネル部１１に設けられた表示部１４aが確実に使用者の視界に入るためである。
【００５０】
図６は、本発明の第２の実施形態に係る監視端末器を示す正面図である。
【００５１】
第２の実施形態では、オン表示部１６aおよびオフ表示部１６bの点灯動作によって照明器具３０が寿命に達したことを告知する。
【００５２】
操作部１２には、オン表示部１６aおよびオフ表示部１６bが一対設けられている。そして、操作部１２が操作されるごとにオン表示部１６aまたはオフ表示１６bのいずれか一方が点灯し、他方が消灯することによって照明器具３０の点消灯状態を表示する。監視端末器１０の時間管理部１３、点滅検知部１３a、器具管理部１３bが検出した照明器具３０の累積点灯時間が所定の時間を経過したら、オン表示部１６aおよびオフ表示部１６bを、例えば両方点滅動作させることによって使用者に照明器具３０の寿命を告知する。このように、オン表示部１６aおよびオフ表示部１６bを告知手段１４として機能させる場合には、表示部１４aをパネル部１１に配設する必要が無くなるのでコストが削減されるとともに、パネル部１１の前面側の限られたスペースにおいて操作部１２の大きさや配設位置を比較的自由に設計することができる。また、オン表示部１６aおよびオフ表示部１６bをこのように操作部１２上に配設しておくと操作部１２とオン表示部１６aおよびオフ表示１６bとの対応関係が分かりやすくなる。このため、例えば操作部１２が複数あったとしても、告知のための表示部１４を複数設けることなく、操作部１２と寿命に達した照明器具３０との対応関係を容易に把握することができる。
【００５３】
図７は、本発明の第３の実施形態に係る監視端末器を示す正面図である。
【００５４】
第３の実施形態では、監視端末器１０が告知部１４としてパネル部１１に液晶画面１４bを有している。パネル部１１の前面側には、制御対象である照明負荷３１の点消灯動作を行う操作部１２と、この操作部１２によって制御される照明負荷３１が点灯状態である事を示すオン表示部１６aおよび消灯状態であることを示すオフ表示部１６bが一つの操作部１２に対して一対設けられている。また、パネル部１１の前面には告知部１４としての液晶画面１４bが取付けられている。照明器具３０の点灯時間が所定の時間を経過すると、液晶画面１４bに照明器具３０が寿命時間に達したことを示す文字、図、表、絵などが表示される。また、通常の使用時には液晶画面１４bには、例えば日付、時間、曜日等の情報や制御対象である照明器具３０や照明負荷３１に関する情報を表示してもよい。そして、パネル部１１には液晶画面１４ｂの表示内容や設定を変更することができる設定部１７が設けられている。設定部１７は照明器具３０のグルーピング化やスケジュール点灯制御などの照明制御に関する情報を設定することができる。また、照明器具３０の寿命としての所定の時間を設定することができる。
【００５５】
照明器具３０の情報とは、例えば、照明器具３０の現在の累積点灯時間や残りの寿命時間であり、これらを表示しておくことによって、使用者や設備管理者などが照明器具３０の交換時期を容易に把握することができる。また、照明負荷３１の情報も表示可能とすることによって照明負荷３１の交換時期も把握することができる。このように、告知部１４として液晶画面１４bを有していることによって、照明器具３０の寿命を告知するだけでなく、その他付加的な情報を表示することが可能になり照明器具３０や照明負荷３１の交換時期を通知することもできる。
【００５６】
図８は、本発明の第４の実施形態に係る監視端末器を示す正面図である。
【００５７】
この監視端末器１０は、第１の実施形態における告知部１４が、照明器具３０の点灯時間が所定の時間を経過したことを音によって告知する音声部１４cとなっている。音声部１４c以外の構成については図５と同様であるため重複する部分には同一符号を付けて詳しい説明については省略する。
【００５８】
音声部１４cは、パネル部１１の前面側に取付けられており、照明器具３０の寿命を音によって告知することができる。ここで、照明器具３０の点灯時間が所定の時間を経過したのちに操作部１２が操作されたときに音声部１４cが音声を発生させることによって使用者に確実に告知を行うことができる。操作部１２の操作を行うとき、使用者はパネル部１１の前面に位置することになるため、パネル部１１に設けられた音声部１４cが音源であることを容易に認識させることができる。このため、使用者は音声の発生が自己の操作に基づいて行われたものであると想起し、照明器具３０になんらかの異常が発生しているということを容易に認識することができる。
【００５９】
また、音声部１４cは操作部１２が操作されてから一定時間、例えば１分程度音声を発生させるようにしておけば、使用者が立ち去った後も告知動作を行う事がなく効果的に使用者に照明器具３０の寿命を告知することができる。
【００６０】
図９は、本発明の第５の実施形態に係る監視端末器１０を示すブロック図である。
【００６１】
第５の実施形態では操作部１２から送出される点消灯信号によって照明器具３０の点灯時間を計測していたが、第２の実施形態では、監視端末器１０は信号送出部としてのセンサ部１８を有している。以下、センサ部１８として人感センサを適用した場合について説明する。
【００６２】
センサ部１８は人の存在を検知すると、時間管理部１３に照明器具３０を点灯させる信号を送出する。時間管理部１３はセンサ部１８から信号を受信すると照明器具３０の点灯時間を計測するとともに、照明制御装置１５に対して照明器具３０を点灯させる信号を送信する。そして、センサ部１８は所定時間が経過すると照明器具３０を消灯させる信号を送出する。信号を受信した時間管理部１３は点灯時間の計測を停止し、計測した点灯時間をこれまで計測した点灯時間とともに不揮発性のメモリに保存するとともに、照明制御装置１５に対して照明器具３０を消灯させる信号を送信する。
【００６３】
なお、上記第５の実施形態の変形例として、センサ部１８を監視端末器１０から分離し、例えば天井面などに設置し、センサ部１８から監視端末器１０へ人の存在、不存在に関する検知情報を送信する構成であってもよい。
【００６４】
このようにセンサ部１８によって照明器具３０が点消灯される場合であっても照明器具３０の点灯時間を測定することができる。なお、本実施形態では照明制御装置１５が監視端末器１０に配設されている場合について説明したが、第１の実施形態と同様に照明制御装置１５が監視端末器１０の外部に設けられていてもよい。この場合には、監視端末器１０は照明制御装置１５を設ける必要がなくなるため監視端末器１０の構成を簡単にすることができる。
【００６５】
また、本実施形態では照明器具３０への点消灯の信号の送出のみで照明器具３０の点灯時間を測定することができる。
【００６６】
なお、センサ部１８として照度センサを用いることもできる。照度センサは、周囲の照度が所定以下になったときに照明器具３０を点灯させる信号を送出し、照度が所定値以上になると消灯信号を送出する。この場合も人感センサを用いる場合と同様にセンサ部１８からの点消灯の信号の送出のみで照明器具３０の点灯時間を測定することができる。
【００６７】
図１０は、第６の実施形態の監視端末器１０を示す正面図である。パネル部１１の前面側には、操作部１２、照明器具３０の点消灯状態を示すオン表示部１６aおよびオフ表示部１６b、照明器具３０の点灯時間が所定の時間を経過したことを告知する告知部１４としての表示部１４a、人感センサ部１８が設けられている。
【００６８】
人感センサは例えば赤外線センサであり、壁面に取付けられたパネル部１１から所定の範囲内の熱線を感知するように設置されている。例えば、パネル部１１から下方３０°の範囲を検知エリアとすることができる。そして、パネル部１１から所定の範囲内に人が近づくと照明器具３０が点灯するように構成されている。
【００６９】
図１１は、本発明に係る第７の実施形態の監視端末器１０を示すブロック図である。第７の実施形態では、自己に流れる電流値または電圧値の変化を検出することで照明器具３０の点消灯状態を判別している。
【００７０】
照明装置１は、ＡＣ電源に接続された監視端末器１０、および監視端末器１０と電源線で接続され、照明負荷３１が取付けられた照明器具３０からなる。
【００７１】
監視端末器１０は、照明負荷３１を点灯させる信号送出部としての操作部１２を有しており、操作部１２の操作によって、照明制御装置１５へ点消灯信号が送出される。また、操作部１２には時間管理部１３および電流電圧計１９が接続されており、電流電圧計１９は監視端末器１０に流れる電流値または電圧値の変化を電流監視部１０cで監視している。操作部１２の操作によって照明器具３０が点灯または消灯すると監視端末器１０に流れる電流値または電圧値が変化する。電流電圧計１９は監視端末器１０に流れる電流値または電圧値が変化したことを検出すると、時間管理部１３に照明器具３０が点灯または消灯したことを示す情報を送信する。時間管理部１３はこの信号によって照明器具１５の点灯時間の計測を行う。
【００７２】
本実施形態において、時間管理部１３は操作部１２から照明器具３０を点消灯させる信号が送出されても、電流値または電圧値が変化しないときは点灯時間を計測しない。このため、例えば監視端末器１０と照明器具３０との間に分電盤などが設置されている場合など、監視端末器１０が照明制御を行っても照明器具３０側の電源がオフになっているときには、監視端末器１０は点灯時間を計時しないので照明器具３０の点灯時間を正確に測定することができる。
【００７３】
そして、時間管理部１３で計測された時間が予め設定された所定の時間になると告知部１４によって使用者等に照明器具３０が寿命に達したことを告知する。
【００７４】
図１２は、本発明に係る第８の実施形態の監視端末器１０を示すブロック図である。
【００７５】
照明装置１は、ＡＣ電源から電力が供給されて動作する監視端末器１０、監視端末器１０と電源線で接続された複数の照明器具３０および各照明器具３０に取付けられた照明負荷３１からなる。
【００７６】
第８の実施形態では、監視端末器１０は照明負荷３１を点消灯させる信号送出部として操作部１２およびスケジュール管理部２０を有している。スケジュール管理部２０は予め設定されたタイムスケジュールに従って操作部１２をオン・オフ制御する信号を送出する。スケジュール管理部２０から送信された信号を受信した時間管理部１３は照明器具３０の点灯時間を計測するとともに操作部１２または照明制御部１５へ照明器具３０を点消灯させる信号を送信する。
【００７７】
また、監視端末器１０には回路割付管理部２１が設けられており、一つの操作部１２に対して複数の照明器具３０を対応付けることができる。このとき時間管理部１３は、操作部１２に対応する複数の照明器具３０のうち最も残りの寿命時間が短いものの点灯時間を操作部１２に対応した点灯時間として設定しておく。こうしておくことによって、例えば照明器具３０の割付け設定を変更した場合も寿命に達した照明器具３０を確実に告知することができる。
【００７８】
図１３は、本発明に係る第９の実施形態の監視端末器１０を示すブロック図である。
【００７９】
第９の実施形態は、第８の実施形態において照明制御部１５が監視端末器１０の外部に配置されて監視端末器１０と照明制御部１５とが伝送線Ｓで接続されている場合について示した図である。
【００８０】
監視端末器１０にはAC電源が接続されて操作部１２、時間管理部１３、スケジュール管理部２０等に電力を供給している。また、照明制御部１５はAC電源に接続されて電力が供給されているとともに、複数の照明器具３０に対して電力線Ｐを介して電力を供給している。そして、本実施形態では照明制御部１５は各照明器具３０に対応したリレースイッチを有しており、操作部１２またはスケジュール管理部からの制御信号に基づいて対応するアドレスのリレースイッチを入切する。その他の構成については図１２に示した監視端末器１０と同様であるので詳しい説明を省略する。
【００８１】
なお、照明制御部１５に各照明器具３０に割付られたアドレスに対応したリレースイッチが設けられた場合について説明したが、リレースイッチを各照明器具３０に設置して、照明制御部１５から送信された制御信号に基づいてリレースイッチを入切する構成であってもよい。
【００８２】
なお、上記実施例において、伝送線Ｓにスケジュール管理部２０および回路割付管理部２１が設けられた中央制御装置（図示しない）を接続してもよい。この場合には監視端末器１０は操作部１２、時間管理部１３、告知部１４を設けるだけでよい。そして、操作部１２を操作すると、監視端末器１０から中央制御装置へ照明制御信号が送出され、中央制御装置から操作部１２に対応した照明器具３０のアドレスを読出すとともに、読出したアドレスに対して点消灯を制御する信号を照明制御部１５へ送信する。そして、時間管理部１３は、操作部１２から信号が送出されると照明器具３０の点灯時間を計測し、次に信号が送出されたときに計測を終了する。
【００８３】
同様に各実施形態の監視端末装置１０を有する照明制御システムを提供することができる。
【００８４】
図１４は、本発明に係る第１０の実施形態の監視端末器１０を示すブロック図である。第１０の実施形態では、監視端末器１０に通信部２２が設けられて、外部端末器２３と通信可能に構成されている。通信部２２は時間管理部１３、スケジュール管理部２０、回路割付管理部２１から情報を読み出して外部端末器２３に対して送信することができる。また、通信部２２を介して外部端末器２３から時間管理部１３、スケジュール管理部２０、回路割付管理部２１などの設定情報を変更することができる。また、監視端末器１０と各照明器具３０は伝送線によって接続されており、各照明器具３０にそれぞれリレースイッチが設けられている。
【００８５】
通信部２２と外部端末器２３との通信は有線であってもよいし、無線であってもよい。また、外部端末器２３としては持ち運びが容易なリモコンやパソコンを適用することができる。
【００８６】
なお、これまで説明した各実施例および変形例を適宜組合せた構成としてもよい。
【図面の簡単な説明】
【００８７】
【図１】第１の実施形態に係る監視端末器を示すブロック図である。
【図２】時間管理部１３の一例を示したブロック図である。
【図３】第１の実施形態に係る監視端末器１０の変形例１を示すブロック図である。
【図４】第１の実施形態に係る監視端末器１０の変形例２を示すブロック図である。
【図５】第１の実施形態に係る監視端末器１０の正面図である。
【図６】第２の実施形態に係る監視端末器を示す正面図である。
【図７】第３の実施形態に係る監視端末器を示す正面図である。
【図８】第４の実施形態に係る監視端末器を示す正面図である。
【図９】第５の実施形態に係る監視端末器１０を示すブロック図である。
【図１０】第６の実施形態に係る監視端末器１０を示す正面図である。
【図１１】第７の実施形態に係る監視端末器１０を示すブロック図である。
【図１２】第８の実施形態に係る監視端末器１０を示すブロック図である。
【図１３】第９の実施形態に係る監視端末器１０を示すブロック図である。
【図１４】第１０の実施形態に係る監視端末器１０を示すブロック図である。
【符号の説明】
【００８８】
１０  監視端末器、１１  パネル部、１２  操作部、１３  時間管理部、１３a  点滅検知部、１４  告知部、１８  センサ部、１９  電流電圧検知部、２０  スケジュール管理部、２２  通信部、
【図１】
2008251441.tif 000003
【図２】
2008251441.tif 000004
【図３】
2008251441.tif 000005
【図４】
2008251441.tif 000006
【図５】
2008251441.tif 000007
【図６】
2008251441.tif 000008
【図７】
2008251441.tif 000009
【図８】
2008251441.tif 000010
【図９】
2008251441.tif 000011
【図１０】
2008251441.tif 000012
【図１１】
2008251441.tif 000013
【図１２】
2008251441.tif 000014
【図１３】
2008251441.tif 000015
【図１４】
2008251441.tif 000016